(57)【要約】      （修正有）【課題】停電又は照明不足若しくは照明設備が無い場所においても、容易に使用可能な手帳を提供する。【解決手段】手帳の表紙左側１の内側左端部に照明装置５を装着する。装着する照明装置５の、中央部の内部に、カーボン抵抗器とＬＥＤ（発光ダイオード）をつなぎ、半透明のプラスチック円管に、ＬＥＤ（発光ダイオード）の発光部を挿入して設置する。半透明のプラスチック円管の下に、伸縮自在のカールコード１１を設置する。照明装置５の両端内部に、伸縮自在の脚立１２と伸縮自在の脚立１３を設置し、両伸縮自在の脚立の下端部は、表紙左側１の内側左端部に固定する。手帳の本体中央部に電槽３を設置し、乾電池を入れる。電槽３の上端にプッシュスイッチ４を設け、プッシュスイッチ４の＋電極と、乾電池の−電極から導線を延長し、伸縮自在のカールコード１１に接続して、直列の電気回路をつくる。【選択図】図１
0003149925.tif 000002
【実用新案登録請求の範囲】
【請求項１】
手帳の表紙左側▲１▼の内側左端部に照明装置▲５▼を装着した手帳。
【請求項２】
手帳に装着する照明装置は、照明装置▲５▼の上端部に、伸縮自在の脚立（アンテナ式）▲１２▼と、照明装置▲５▼の下端部に、伸縮自在の脚立（アンテナ式）▲１３▼の、２脚を装着した請求項１記載の手帳。
【考案の詳細な説明】
【技術分野】
【０００１】  この考案は、停電  又は  照明不足  若しくは  照明設備が無い場所において、手帳を使用に関するものである。
【背景技術】
【０００２】  従来の手帳は、照明を装備したものは無かった  又  類似の物があったとしてもペンライトの下端を手帳に挟んで使用するクリップライト式のものであり、手帳本体に照明装置を装着し、一体的になったものは無かった。
【考案が解決しょうとする課題】
【０００３】  従来の手帳を使用中、停電  又は  照明不足  若しくは  照明設備が無い場所において使用する場合は、懐中電灯、ローソク等の照明になる器具等を緊急に準備する必要がある。本手帳は、手帳本体に照明装置を装備しており、前記問題が発生した場合であっても、容易に使用が可能である。
本考案は、これらの問題点を解決するためになされたものである。
【課題を解決するための手段】
【０００４】  手帳の表紙左側▲１▼の内側面左端部に照明装置▲５▼を装着する。装着する照明装置▲５▼の中央部は、右側面と下側面の右側部分を開口▲６▼にする。開口▲６▼にした以外の部分の内側面と、開口▲６▼部両端の内側面に、アルミ箔▲７▼を貼る。照明装置▲５▼の、開口▲６▼部下端内部中央に、ＬＥＤ（発光ダイオード）▲８▼の光源と、カーボン抵抗器▲９▼を取り付ける。ＬＥＤ（発光ダイオード）▲８▼の発光部を、半透明のプラスチック円管▲１０▼の、片方側の内部に挿入して取りつけ、他端側は、開口▲６▼部の、上端部側内部の中央に設置する。半透明のプラスチック円管▲１０▼の下方に、半透明のプラスチック円管▲１０▼に沿って、伸縮自在のカールコード▲１１▼を設置する。照明装置▲５▼の、下側面の上端部と下端部二箇所を開口にし、この上端開口部の内部に、伸縮自在の脚立（アンテナ式）▲１２▼と、下端開口部の内部に、伸縮自在の脚立（アンテナ式）▲１３▼を設置する。両伸縮自在の脚立の上端部は、照明装置▲５▼の、上側面の内側に、各別に、接着して固定する。両伸縮自在の脚立の下端部は、各別に、バンド式固定金具▲１４▼、バンド式固定金具▲１５▼で固定する。両バンド式固定金具は、各別に、Ｌ字形固定金具▲１６▼、Ｌ字形固定金具▲１７▼で固定する。両Ｌ字形固定金具は、各別に、表紙左側▲１▼の内側面左端部に固定する。手帳の本体中央部に電槽▲３▼を設置し、電槽▲３▼の内部に電源▲１８▼を装着する。電源▲１８▼の上部に、プッシュスイッチ▲４▼を設ける。
本考案は、以上の構成よりなるライト付手帳である。
【考案を実施するための最良の形態】
【０００５】  以下、本考案の実施の形態を説明する。
（ａ）  手帳の表紙左側▲１▼の内側左端部に照明装置▲５▼を装着する。
（ｂ）  装着する照明装置▲５▼の中央部は、右側面と、下側面の右側部分を開口▲６▼にし、内部から外部に向け、光を放射する窓口とする。
（ｃ）  照明装置▲５▼中央部の、開口▲６▼にした以外の部分の内側面と、開口▲６▼部両端の内側面に、放射光を反射するアルミ箔▲７▼を貼る。
（ｄ）  照明装置▲５▼の、開口▲６▼部内部の下端部中央に、ＬＥＤ（発光ダイオード）▲８▼の光源を取り付けて、ＬＥＤ（発光ダイオード）▲８▼の光源部を、半透明のプラスチック管▲１０▼の片方側の内部に挿入して取りつける。プラスチック円管▲１０▼の他端側は、開口▲６▼部の、上端部側内部の中央に設置する。
（ｅ）  半透明のプラスチック円管▲１０▼の下方に、半透明のプラスチック円管▲１０▼に沿って、伸縮自在のカールコード▲１１▼を設置し、照明装置▲５▼を上方に引っ張り上げる操作をした際に、伸縮自在のカールコード▲１１▼が伸長し、可動を容易にする。
（ｆ）  照明装置▲５▼の下側面の上端部と下端部二箇所を開口にし、この上端開口部の内部に、伸縮自在の脚立（アンテナ式）▲１２▼と、下端開口部の内部に伸縮自在の脚立（アンテナ式）▲１３▼を設置する。
（ｇ）  両伸縮自在の脚立の上端部と、照明装置▲５▼の、上面側の内側中央部を接着させ、照明装置▲５▼の、上面外側から各別に、ネジで固定し、照明装置▲５▼を上方に引っ張り上げる操作をすると、両伸縮自在の脚立が容易に伸長する。
（ｈ）  伸縮自在の脚立▲１２▼の下端部は、バンド式固定金具▲１４▼で固定し、更にバンド式固定金具▲１４▼と、Ｌ字形固定金具▲１６▼をネジで固定して、Ｌ字形固定金具▲１６▼を、表紙左側▲１▼の内側面左端部に固定する。
（ｉ）  伸縮自在の脚立▲１３▼の下端部は、バンド式固定金具▲１５▼で固定し、更にバンド式固定金具▲１５▼と、Ｌ字形固定金具▲１７▼をネジで固定して、Ｌ字形固定金具▲１７▼を、表紙左側▲１▼の内側面左端部に固定する。
（ｊ）  手帳の本体中央部に電槽▲３▼を設け、電槽▲３▼の内部には、電源▲１８▼として単４電池（１、５ｖ）３個を直列にし、上方を＋極として挿入する。
（ｋ）  電源▲１８▼の上部に、プッシュスイッチ▲４▼を設け、ＯＮ、ＯＦの操作を容易に可能にする。
（ｌ）  プッシュスイッチ▲４▼の＋極側と、電源▲１８▼の−極側から導線▲１９▼を延長し、手帳の記事用紙▲２０▼の下を通して、Ｌ字形固定金具▲１５▼の横で伸縮自在のカールコード▲１１▼につなぐ。
（ｍ）  伸縮自在のカールコード▲１１▼の＋極から導線▲１９▼で、カーボン抵抗器（１／４Ｗ型）▲９▼につなぎ、安定した電流を、ＬＥＤ（発光ダイオード）▲８▼に流す。
（ｎ）  カーボン抵抗器（１／４Ｗ型）▲９▼から導線▲１９▼で、ＬＥＤ（発光ダイオード）▲８▼のアノード極に接続する。
（ｏ）  伸縮自在のカールコード▲１１▼の−極は、導線▲１９▼で、ＬＥＤ（発光ダイオード）▲８▼のカソード極に接続して、直列の電気回路をつくる。
本考案は、以上の構成よりなる。
本考案物の使用は、プッシュスイッチ▲４▼を押して通電させ、照明装置▲５▼を掴んで上方に引っ張り上げると、伸縮自在脚立▲１２▼、伸縮自在脚立▲１３▼とカールコード▲１１▼が伸張して、照明装置▲５▼が、手帳の記事用紙▲２０▼の上面と高低差を増し、ＬＥＤ（発光ダイオード）▲８▼から発光した光線は、開口部▲６▼から放射し、手帳の記事用紙▲２０▼の上面を遠くまで明るく照射して、照明に問題、支障があって、使用出来なかった手帳を使用可能にする。
【考案の効果】
【０００６】  本考案を使用することで、停電  又は  照明不足  若しくは  照明設備が無い場所において手帳を使用する場合は、懐中電灯、ローソク等の照明になる器具等を緊急に準備する必要がある。
本手帳は、手帳本体に照明装置▲５▼を装備しており、前記問題が発生した場合であっても容易に使用可能である。
本考案は、これらの問題点を解決するためになされたものである。
【図面の簡単な説明】
【図１】  本考案の使用状態図
【図２】  本考案の全体図
【図３】  本考案の内部図
【図４】  本考案の内部図
【図５】  本考案の要部拡大図
【図６】  本考案の要部拡大透視図
【図７】  本考案の要部拡大透視図
【図８】  本考案の電気回路図
【図９】  本考案の配線図
【符号の説明】
▲１▼表紙左側、▲２▼表紙右側、▲３▼電槽、▲４▼プッシュスイッチ、▲５▼照明装置、▲６▼開口、▲７▼アルミ箔、▲８▼ＬＥＤ（発光ダイオード）、▲９▼カーボン抵抗器、▲１０▼半透明のプラスチック円管、▲１１▼伸縮自在のカールコード、▲１２▼伸縮自在の脚立、▲１３▼伸縮自在の脚立、▲１４▼バンド式固定金具、▲１５▼バンド式固定金具、▲１６▼Ｌ字形固定金具、▲１７▼Ｌ字形固定金具、▲１８▼電源、▲１９▼導線、▲２０▼記事用紙
【図１】
0003149925.tif 000003
【図２】
0003149925.tif 000004
【図３】
0003149925.tif 000005
【図４】
0003149925.tif 000006
【図５】
0003149925.tif 000007
【図６】
0003149925.tif 000008
【図７】
0003149925.tif 000009
【図８】
0003149925.tif 000010
【図９】
0003149925.tif 000011
【手続補正書】
【提出日】平成21年1月22日(2009.1.22)
【手続補正１】
【補正対象書類名】実用新案登録請求の範囲
【補正対象項目名】全文
【補正方法】変更
【補正の内容】
【実用新案登録請求の範囲】
【請求項１】
手帳の表紙左側▲１▼の内側左端部に照明装置▲５▼を装着した手帳。
【請求項２】
手帳に装着する照明装置は、照明装置▲５▼の上端部に、伸縮自在の脚立▲１２▼と、照明装置▲５▼の下端部に、伸縮自在の脚立▲１３▼の、２脚を装着した請求項１記載の手帳。